(57)【要約】【課題】デジタル画像データのメタデータ、デジタル画像データの管理者の属性情報およびデジタル画像データが撮影された日時のイベント情報から、デジタル画像データに相応しいタイトル名を決定する。【解決手段】タイトル作成装置１は、デジタル画像データが入力されるデジタル画像データ入力手段５０と、前記デジタル画像データが撮影された日時と場所に関する情報を含む前記デジタル画像データのメタデータを取得するメタデータ取得手段５４と、前記デジタル画像データを管理する管理者の日時と場所に関する情報を含む属性情報を取得する管理者属性情報取得手段７４と、前記撮影された日時と場所に応じたイベント情報を取得するイベント情報取得手段と、前記メタデータに含まれる前記情報を、前記属性情報および前記イベント情報の少なくとも１つと照合することにより、前記デジタル画像データのタイトル名を決定するタイトル名決定手段６０とを備える。【選択図】図２
2007207057.tif 000002
【特許請求の範囲】
【請求項１】
デジタル画像データが入力される入力手段と、
前記デジタル画像データが撮影された日時と場所に関する情報を含む前記デジタル画像データのメタデータを取得するメタデータ取得手段と、
前記デジタル画像データを管理する管理者の日時と場所に関する情報を含む属性情報を取得する属性情報取得手段と、
前記撮影された日時と場所に応じたイベント情報を取得するイベント情報取得手段と、
前記メタデータに含まれる前記情報を、前記属性情報および前記イベント情報の少なくとも１つと照合することにより、前記デジタル画像データのタイトル名を決定するタイトル決定手段と、
を備えることを特徴とするタイトル作成装置。
【請求項２】
デジタル画像データのタイトルをコンピュータを用いて作成する方法であって、
デジタル画像データが入力される工程と、
前記デジタル画像データが撮影された日時と場所に関する情報を含む前記デジタル画像データのメタデータを取得する工程と、
前記デジタル画像データを管理する管理者の日時と場所に関する情報を含む属性情報を取得する工程と、
前記撮影された日時と場所に応じた行事に関するイベント情報を取得する工程と、
前記メタデータに含まれる前記情報を、前記属性情報および前記イベント情報の少なくとも１つと照合することにより、前記デジタル画像データのタイトル名を決定する工程と、
を含むことを特徴とするタイトル作成方法。
【請求項３】
請求項２に記載のタイトル作成方法において、
前記イベント情報には、
前記管理者のスケジュール情報および興行される興行情報の何れかが少なくとも含まれることを特徴とするタイトル作成方法。
【請求項４】
請求項３に記載のタイトル作成方法において、
前記デジタル画像データのタイトル名を決定する工程は、
前記撮影された日時に関する情報と日時が略一致する前記スケジュール情報に応じて、予め選定されたタイトル語分類の中から１つのタイトル語分類を選択するタイトル語分類選択工程と、
前記撮影された日時に関する情報と日時が略一致する前記属性情報または前記興行情報に応じて、予め選定されたタイトル語もしくは前記選択されたタイトル語分類の中から１つを選択してタイトル名とするタイトル名選択工程と、
前記属性情報または前記イベント情報の何れかに含まれる名称の少なくとも一部を抽出し、前記選択したタイトル名に付加する名称付加工程と、
を含むことを特徴とするタイトル作成方法。
【請求項５】
請求項４に記載のタイトル作成方法において、
前記タイトル名選択工程は、
前記撮影された日時に関する情報と日時が略一致する前記属性情報に応じて、予め選定されたタイトル語の中から１つのタイトル語を選択する第１の選択工程と、
前記撮影された日時および場所に関する情報と日時および場所が略一致する前記興行情報に応じて、予め選定されたタイトル語の中から１つのタイトル語を選択する第２の選択工程と、
前記タイトル語分類選択工程で選択されたタイトル語分類、もしくは前記撮影された場所に関する情報または前記撮影された日時に関する情報の中から、１つをタイトル語として選択する第３の選択工程と、
を備えることを特徴とするタイトル作成方法。
【請求項６】
請求項５に記載のタイトル作成方法において、
前記名称付加工程は、
前記第１の選択工程で選択されたタイトル語に対して、前記属性情報の少なくとも一部を付加することを特徴とするタイトル作成方法。
【請求項７】
請求項５に記載のタイトル作成方法において、
前記名称付加工程は、
前記第２の選択工程で選択されたタイトル語に対して、前記興行情報の少なくとも一部を付加することを特徴とするタイトル作成方法。
【請求項８】
請求項５に記載のタイトル作成方法において、
前記名称付加工程は、
前記第３の選択工程で選択されたタイトル語に対して、適する語句を付加することを特徴とするタイトル作成方法。
【請求項９】
請求項５乃至８のいずれか１項に記載のタイトル作成方法において、
前記第２の選択工程は、前記第１の選択工程において前記日時が略一致する属性情報が存在しない場合に、前記タイトル語分類選択工程に続き実行されると共に、
前記第３の選択工程は、前記第２の選択工程において前記日時が略一致する興行情報が存在しない場合に実行されることを特徴とするタイトル作成方法。
【請求項１０】
請求項２乃至９のいずれか１項に記載のタイトル作成方法において、
入力されたデジタル画像データは、複数の画像データファイルと、それぞれの画像データファイルに応じた前記メタデータを有し、
各画像データファイルの前記メタデータに含まれる日時と場所に関する情報に応じて、各画像データファイルを１つ以上のグループに分類するグループ分類工程を更に備えると共に、
前記タイトル名は、前記それぞれのグループに対して決定されることを特徴とするタイトル作成方法。
【請求項１１】
デジタル画像データが入力される手順と、
前記デジタル画像データが撮影された日時と場所に関する情報を含む前記デジタル画像データのメタデータを取得する手順と、
前記デジタル画像データを管理する管理者の日時と場所に関する情報を含む属性情報を取得する手順と、
前記撮影された日時と場所に応じたイベント情報を取得する手順と、
前記メタデータに含まれる前記情報を、前記属性情報および前記イベント情報の少なくとも１つと照合することにより、前記デジタル画像データのタイトル名を決定する手順と、
をコンピュータに実行させることを特徴とするタイトル作成プログラム。
【発明の詳細な説明】
【技術分野】
【０００１】
本発明は、電子写真のようなデジタル画像データのタイトルを作成するタイトル作成装置、タイトル作成方法およびタイトル作成プログラムに関する。
【背景技術】
【０００２】
電子写真のようなデジタル画像データに位置情報をリンクさせる方法としては、デジタル画像データに緯度情報および経度情報を埋め込んだり、あるいは、デジタル画像データに付加され、デジタル画像データの属性を示すメタデータに位置情報を書き込むことが知られている。このような方法により、位置情報がリンクされたデジタル画像データを活用する例として、下記特許文献１に開示されているように、位置情報がリンクされたデジタル画像データと、地図上の所定のシンボルとを関連付け、このシンボルが指示された場合に、関連付けられたデジタル画像データが示す電子写真を表示していた。
【０００３】
【特許文献１】特開２００２−１４９０５６号公報
【発明の開示】
【発明が解決しようとする課題】
【０００４】
しかしながら、このような方法により表示された電子写真には、撮影された状況に関する情報が示されないため、この電子写真を見る人物に対して、どのような意図で撮影された写真であるかを理解させることはできなかった。
【課題を解決するための手段】
【０００５】
上記した課題を解決するために、本発明のタイトル作成装置は、デジタル画像データが入力される入力手段と、前記デジタル画像データが撮影された日時と場所に関する情報を含む前記デジタル画像データのメタデータを取得するメタデータ取得手段と、前記デジタル画像データを管理する管理者の日時と場所に関する情報を含む属性情報を取得する属性情報取得手段と、前記撮影された日時と場所に応じたイベント情報を取得するイベント情報取得手段と、前記メタデータに含まれる前記情報を、前記属性情報および前記イベント情報の少なくとも１つと照合することにより、前記デジタル画像データのタイトル名を決定するタイトル決定手段と、を備えることを特徴とする。
【０００６】
この発明によれば、入力されたデジタル画像データのメタデータに含まれる撮影された日時と場所に関する情報を、撮影された日時と場所に応じた行事に関するイベント情報およびデジタル画像データの管理者の属性情報と照合することで、デジタル画像データのタイトルが決定されるため、このデジタル画像データの電子写真を見る人物に対して、撮影された状況や意図を伝えることができる。
【０００７】
上記した課題を解決するために、本発明のタイトル作成方法は、デジタル画像データのタイトルをコンピュータを用いて作成する方法であって、デジタル画像データが入力される工程と、前記デジタル画像データが撮影された日時と場所に関する情報を含む前記デジタル画像データのメタデータを取得する工程と、前記デジタル画像データを管理する管理者の日時と場所に関する情報を含む属性情報を取得する工程と、前記撮影された日時と場所に応じた行事に関するイベント情報を取得する工程と、前記メタデータに含まれる前記情報を、前記属性情報および前記イベント情報の少なくとも１つと照合することにより、前記デジタル画像データのタイトル名を決定する工程と、を含むことを特徴とする。
【０００８】
この発明によれば、入力されたデジタル画像データのメタデータに含まれる撮影された日時と場所に関する情報を、撮影された日時と場所に応じた行事に関するイベント情報およびデジタル画像データの管理者の属性情報と照合することで、デジタル画像データのタイトルが決定されるため、このデジタル画像データの電子写真を見る人物に対して、撮影された状況や意図を伝えることができる。
【０００９】
本発明は、前記イベント情報には、前記管理者のスケジュール情報および興行される興行情報の何れかが少なくとも含まれることが好ましい。
【００１０】
この発明によれば、イベント情報には、管理者のスケジュール情報や興行される興行情報のような詳細な情報が含まれるため、スケジュール情報や興行情報に基くデジタル画像データのタイトル名を決定できる。
【００１１】
本発明では、前記デジタル画像データのタイトル名を決定する工程は、前記撮影された日時に関する情報と日時が略一致する前記スケジュール情報に応じて、予め選定されたタイトル語分類の中から１つのタイトル語分類を選択するタイトル語分類選択工程と、前記撮影された日時に関する情報と日時が略一致する前記属性情報または前記興行情報に応じて、予め選定されたタイトル語もしくは前記選択されたタイトル語分類の中から１つを選択してタイトル名とするタイトル名選択工程と、前記属性情報または前記イベント情報の何れかに含まれる名称の少なくとも一部を抽出し、前記選択したタイトル名に付加する名称付加工程と、を含むことが好ましい。
【００１２】
この発明によれば、撮影された日時に関する情報と日時が略一致するスケジュール情報に応じて、予め選定されたタイトル語分類の中から１つのタイトル語分類が選択され、撮影された日時に関する情報と日時が略一致する属性情報または前記興行情報に応じて、予め選定されたタイトル語もしくは選択されたタイトル語分類の中から１つのタイトル名が選択され、属性情報またはイベント情報の何れかに含まれる名称の少なくとも一部が抽出され、選択されたタイトル名に付加されるため、デジタル画像データに相応しいタイトル名を高い精度で決定できる。
【００１３】
本発明では、前記タイトル名選択工程は、前記撮影された日時に関する情報と日時が略一致する前記属性情報に応じて、予め選定されたタイトル語の中から１つのタイトル語を選択する第１の選択工程と、前記撮影された日時および場所に関する情報と日時および場所が略一致する前記興行情報に応じて、予め選定されたタイトル語の中から１つのタイトル語を選択する第２の選択工程と、前記タイトル語分類選択工程で選択されたタイトル語分類、もしくは前記撮影された場所に関する情報または前記撮影された日時に関する情報の中から、１つをタイトル語として選択する第３の選択工程と、を備えることが好ましい。
【００１４】
この発明によれば、撮影された日時に関する情報と日時が略一致する属性情報に基いてタイトル語を選択する工程と、撮影された日時および場所に関する情報と日時および場所が略一致する興行情報に基いてタイトル語を選択する工程と、タイトル語分類選択工程で選択されたタイトル語分類、もしくは撮影された場所に関する情報または撮影された日時に関する情報の中からタイトル語を選択する工程を備えるため、属性情報や興行情報の何れかに不備があっても、確実にタイトル語を選択できる。
【００１５】
本発明では、前記名称付加工程は、前記第１の選択工程で選択されたタイトル語に対して、前記属性情報の少なくとも一部を付加しても良い。また、本発明では、前記名称付加工程は、前記第２の選択工程で選択されたタイトル語に対して、前記興行情報の少なくとも一部を付加しても良い。更に、本発明では、前記名称付加工程は、前記第３の選択工程で選択されたタイトル語に対して、適する語句を付加しても良い。
【００１６】
本発明では、前記第２の選択工程は、前記第１の選択工程において前記日時が略一致する属性情報が存在しない場合に、前記タイトル語分類選択工程に続き実行されると共に、前記第３の選択工程は、前記第２の選択工程において前記日時が略一致する興行情報が存在しない場合に実行されることが好ましい。
【００１７】
この発明によれば、第２の選択工程は、第１の選択工程において日時が略一致する属性情報が存在しない場合に実行され、更に、第３の選択工程は、第２の選択工程において、日時が略一致する興行情報が存在しない場合に実行されるため、１つの選択工程で選択されない場合でも、他の選択工程が実行されることから、確実にタイトル語を選択できる。
【００１８】
本発明では、入力されたデジタル画像データは、複数の画像データファイルと、それぞれの画像データファイルに応じた前記メタデータを有し、各画像データファイルの前記メタデータに含まれる日時と場所に関する情報に応じて、各画像データファイルを１つ以上のグループに分類するグループ分類工程を更に備えると共に、前記タイトル名は、前記それぞれのグループに対して決定されることが好ましい。
【００１９】
この発明によれば、複数のデジタル画像データが入力された場合は、各メタデータに含まれる日時と場所に関する情報に応じて、デジタル画像データがグループ化され、ぞれぞれのグループに対してタイトル名が決定されるため、タイトル名を迅速かつ効率的に決定できる。
【００２０】
上記した課題を解決するために、本発明のタイトル作成プログラムは、デジタル画像データが入力される手順と、前記デジタル画像データが撮影された日時と場所に関する情報を含む前記デジタル画像データのメタデータを取得する手順と、前記デジタル画像データを管理する管理者の日時と場所に関する情報を含む属性情報を取得する手順と、前記撮影された日時と場所に応じたイベント情報を取得する手順と、前記メタデータに含まれる前記情報を、前記属性情報および前記イベント情報の少なくとも１つと照合することにより、前記デジタル画像データのタイトル名を決定する手順と、をコンピュータに実行させることを特徴とする。
【００２１】
この発明によれば、入力されたデジタル画像データのメタデータに含まれる撮影された日時と場所に関する情報を、撮影された日時と場所に応じた行事に関するイベント情報およびデジタル画像データの管理者の属性情報と照合することで、デジタル画像データのタイトルが決定されるため、このデジタル画像データの電子写真を見る人物に対して、撮影された状況や意図を伝えることができる。
【発明を実施するための最良の形態】
【００２２】
以下、本発明の実施形態について、入力された電子写真のデータに相応しいタイトルを生成するタイトル作成装置１を用いて説明する。
（実施形態）
【００２３】
図１は、電子写真のデータを示すデジタル画像データ８６（図２）のタイトル作成装置１のハードウェア構成を示す図である。このタイトル作成装置１は、入力されたデジタル画像データ８６の画像イメージを示す画像データ８２（図２）に対して、この画像データ８２に付加された撮影日時や撮影場所等のメタデータ８４（図２）、デジタル画像データ８６の管理者に関する情報およびＷｅｂコンテンツ等を利用し、画像データ８２に相応しいタイトルを作成する装置である。タイトル作成装置１のハードウェア構成は、ＣＰＵ（Ｃｅｎｔｒａｌ  Ｐｒｏｃｅｓｓｉｎｇ  Ｕｎｉｔ）１０と、ＲＡＭ（Ｒａｎｄｏｍ  Ａｃｃｅｓｓ  Ｍｅｍｏｒｙ）１２と、ＲＯＭ（Ｒｅａｄ  Ｏｎｌｙ  Ｍｅｍｏｒｙ）１４と、記憶装置１６と、入力Ｉ／Ｆ（Ｉｎｔｅｒｆａｃｅ）１８と、通信Ｉ／Ｆ２０と、グラフィックスサブシステム２２とを具備する。これらのハードウェアは、バス２３により各信号が授受可能に接続されている。また、これらのハードウェアは、基本ソフトウェアであるＢＩＯＳ（Ｂａｓｉｃ  Ｉｎｐｕｔ  Ｏｕｔｐｕｔ  Ｓｙｓｔｅｍ）や、オペレーティングシステム（ＯＳ）により管理され、これらの管理下で、ＲＯＭ１４や記憶装置１６に記憶されたドライバを含む種々のソフトウェアにより、所定の機能が実行される。
【００２４】
ＣＰＵ１０は、基本ソフトウェア、入力Ｉ／Ｆ１８や通信Ｉ／Ｆ２０に接続された各装置のデバイスドライバや、アプリケーションソフトウェアなどの各種プログラム、および各種のデータをＲＯＭ１４や記憶装置１６から読み込み、これらをＲＡＭ１２内に設けられるメインメモリ領域に展開して実行する。また、記憶装置１６は、情報を読書き可能に記憶する装置であり、例えば、ハードディスクドライブやフラッシュメモリを採用できる。
【００２５】
入力Ｉ／Ｆ１８には、メモリカードリーダ２４およびクレイドル（Ｃｒａｄｌｅ）２６が所定の規格に従い接続されている。メモリカードリーダ２４は、ＳＤメモリカード（登録商標）のようにフラッシュメモリを内部に備えたメモリカード３４を装着することで、メモリカード３４に記憶されたデータを読み込むことができる。例えば、デジタルカメラ３６等で撮影されたデジタル画像データ８６が保存されたメモリカード３４を装着することで、デジタル画像データ８６を読み込める。また、クレイドル２６は、スタンド型の接続機器であり、本実施形態では、デジタルカメラ３６をクレイドル２６の所定の位置に設置することで、デジタルカメラ３６と電気的に接続され、デジタルカメラ３６で撮影されてデジタルカメラ３６内部に保存されたデジタル画像データ８６を読み込める。
【００２６】
通信Ｉ／Ｆ２０には、ネットワークカード３０が所定の規格に従い接続されている。このネットワークカード３０は、インターネット３８を介して外部のネットワークと通信が可能であり、所定のブラウザアプリケーションソフトウェアを用いることで、世界中のＷｅｂコンテンツをブラウズできるように構成されている。
【００２７】
グラフィックスサブシステム２２は、グラフィックスチップ、グラフィックスメモリ等で構成され、画像表示装置３２に対して画像信号を出力する。画像表示装置３２は、液晶パネル等のディスプレイ装置であり、グラフィックスサブシステム２２から出力された画像信号が示す画像を表示する。尚、画像表示装置３２は、液晶パネルのようなディスプレイ装置に限定されず、フロントプロジェクタやリアプロジェクションテレビ等にも適用できる。
【００２８】
図２は、デジタル画像データ８６のタイトル作成装置１の機能構成を示す図である。このタイトル作成装置１は、デジタル画像データ入力手段５０、画像データ取得手段５２、メタデータ取得手段５４、撮影時刻／撮影場所データ変換手段５６、グループ化手段５８、タイトル名決定手段６０、管理者特定手段７０、管理者スケジュール取得手段７２、管理者属性情報取得手段７４、興行情報取得手段７６、データ関連付け手段７８、デジタル画像データ記憶手段８０およびデジタル画像出力手段８１を備える。
【００２９】
デジタル画像データ入力手段５０は、デジタルカメラ３６等の電子撮影装置で撮影された電子写真のデジタル画像データ８６が入力される。具体的には、デジタル画像データ８６は、メモリカード３４やクレイドル２６を介して入力される。
【００３０】
画像データ取得手段５２は、入力されたデジタル画像データ８６の中から、画像イメージを示す画像データ８２を抽出して取得する。また、メタデータ取得手段５４は、入力されたデジタル画像データ８６の中から、データの属性を示すメタデータ８４を抽出して取得する。メタデータ８４は、例えば、ＪＰＥＧ（Ｊｏｉｎｔ  Ｐｈｏｔｏｇｒａｐｈｉｃ  Ｅｘｐｅｒｔｓ  Ｇｒｏｕｐ）規格に従い圧縮された画像データ８２に付加されるＥｘｉｆ（Ｅｘｃｈａｎｇｅａｂｌｅ  Ｉｍａｇｅ  Ｆｉｌｅ  Ｆｏｒｍａｔ）データであり、このようなＥｘｉｆデータには、デジタルカメラ３６の固有データや、撮影日時や、撮影場所等の撮影条件等の情報が含まれている。取得されたメタデータ８４は、撮影時刻／撮影場所データ変換手段５６に送られる。
【００３１】
撮影時刻／撮影場所データ変換手段５６は、メタデータ取得手段５４から送られるメタデータ８４の中から、撮影された日時の情報と撮影された場所の情報とを取得して、所定のデータ形式に変換する。具体的には、撮影された日時を示すデータから、曜日の情報を算出して付加したり、緯度や経度の情報を地名等の情報に変換する。このような地名情報は、記憶装置１６に記憶された地図情報から検索されたり、インターネット３８を介して地図情報を有するサーバ等から検索される。所定のデータ形式に変換された撮影日時の情報と撮影場所の情報は、グループ化手段５８およびタイトル名決定手段６０に送られる。
【００３２】
グループ化手段５８は、デジタル画像データ入力手段５０で複数のデジタル画像データ８６が入力された場合、それぞれのデジタル画像データ８６の撮影日時や撮影場所に基いて分類することにより、グループ化する。グループ化されたデジタル画像データ８６は、記憶装置１６に記憶されたり、識別可能なデータが付加される。
【００３３】
管理者特定手段７０は、入力されたデジタル画像データ８６の管理者を特定する。具体的には、予め登録されたデジタルカメラ３６やメモリカード３４の個人識別番号等から管理者を特定する。特定された管理者の情報は、管理者スケジュール取得手段７２や管理者属性情報取得手段７４に送られる。
【００３４】
管理者スケジュール取得手段７２は、管理者特定手段７０で特定された管理者に関し、デジタル画像データ８６が撮影された日時前後におけるスケジュールやイベント等の行動予定を取得する。具体的には、記憶装置１６に記憶された個人のスケジュールデータや、ネットワークを介して外部のサーバ等から取得できるスケジュールデータの中から、管理者の行動予定に関する情報を取得する。また、取得された行動予定に関する情報は、タイトル名決定手段６０から必要に応じて参照される。
【００３５】
管理者属性情報取得手段７４は、管理者特定手段７０で特定された管理者の属性に関する情報を取得する。ここで、管理者の属性に関する情報とは、例えば、管理者の生年月日や結婚記念日等の日時に関する情報を含むような個人情報の中で、公開されている情報である。このような管理者の属性に関する情報は、記憶装置１６に記憶された個人情報のデータベースや、ネットワークを介して外部のサーバ等から取得する個人情報のデータベースから取得される。また、取得された管理者の属性に関する情報は、タイトル名決定手段６０から必要に応じて参照される。
【００３６】
興行情報取得手段７６は、デジタル画像データ８６が撮影された日時における撮影された場所周辺での興行情報を、インターネット３８を介して外部のサーバ等から取得する。具体的には、Ｗｅｂコンテンツのサーチエンジンのような検索システムを利用して、所望する日時や場所でのコンサートやスポーツ等の興行情報を取得する。取得された興行情報は、タイトル名決定手段６０から必要に応じて参照される。
【００３７】
タイトル名決定手段６０は、タイトル分類手段６２、データベース６４、タイトル語選択手段６６および名称付加手段６８とを具備し、デジタル画像データ８６が撮影された日時の情報と撮影された場所の情報に基き、管理者の個人的な行動予定に関する情報および撮影された日時や場所での興行情報を含むイベント情報や、管理者の属性情報を参照して、デジタル画像データ８６のタイトル名を決定する。尚、グループ化手段５８で、グループ化された場合、決定されたタイトル名は、それぞれのデジタル画像データ８６に対してではなく、グループに対して決定される。
【００３８】
タイトル分類手段６２は、管理者スケジュール取得手段７２で取得された管理者の行動予定の情報から、予め選定されてデータベース６４に記憶されている所定のキーワードを抽出し、抽出されたキーワードから、デジタル画像データ８６のタイトルを示すタイトル語を選択する。ここで、予め記憶されているキーワードは、「旅行」、「会」および「大会」等であり、例えば、行動予定の情報の中に、「学校」、「住居地区」または「会社」等の行事に関する語句を含む場合、行事名に続き、「会」という語句を付加して分類する。また、タイトル語を分類する際、行動予定の情報に含まれる場所に関する情報と、管理者の属性に関する情報に含まれる居住地に関する情報とを比較して、長距離の移動を伴うか、否かを判定し、タイトル語を分類しても良い。例えば、行動予定の情報の中に、「観戦」、「コンサート」「展」または「講演」等の語句を含み、長距離移動を伴う場合、行事名に続き、「旅行」という語句を付加して分類できる。タイトル分類手段６２で分類されたタイトル語は、タイトル語選択手段６６に送られる。
【００３９】
タイトル語選択手段６６は、デジタル画像データ８６が撮影された日時に略一致する管理者の属性情報や興行情報を、管理者属性情報取得手段７４や興行情報取得手段７６から参照する。更に、タイトル語選択手段６６は、参照できた情報に応じて、データベース６４に予め記憶されている所定のキーワードを抽出し、抽出されたキーワードもしくは、タイトル分類手段６２から送られたタイトル語の中から、所定の基準に従い、デジタル画像データ８６のタイトルを示すタイトル語を選択する。例えば、デジタル画像データ８６が撮影された日時において、撮影された場所でプロスポーツが興行されていた場合、タイトル語は、「観戦」が選択される。同様に、デジタル画像データ８６が撮影された日時において、撮影された場所で音楽会が開催されていた場合、タイトル語は、「コンサート」が選択される。
【００４０】
尚、タイトル語選択手段６６は、呼び出される処理の段階において、以下の３つの方法の内、何れかの方法によりタイトル語を選択する。
（１）デジタル画像データ８６が撮影された日時に関する情報と日時が略一致する管理者の属性情報に応じて、「祝い」、「式」、「記念日」および「回忌」等のように、予め選定され、データベース６４に記憶されたタイトル語の中から１つのタイトル語を選択する（第１の方法）。
（２）デジタル画像データ８６が撮影された日時に関する情報と日時が略一致する興行情報に応じて、「観戦」、「講演」、「展」および「コンサート」等のように、予め選定され、データベース６４に記憶されたタイトル語の中から１つのタイトル語を選択する（第２の方法）。
（３）タイトル分類手段６２で選択されたタイトル語、もしくはデジタル画像データ８６が撮影された場所に関する情報またはデジタル画像データ８６が撮影された日時に関する情報の中から、１つをタイトル語として選択する（第３の方法）。
【００４１】
これらの方法の内、第２の方法は、第１の方法において、前記日時が略一致する属性情報が存在しない場合に実行され、更に第３の方法は、第２の方法において、前記日時が略一致する興行情報が存在しない場合に実行されるように構成されている。尚、各方法についての具体例は後述する。このタイトル語選択手段６６で選択されたタイトル語は、名称付加手段６８に送られる。
【００４２】
名称付加手段６８は、タイトル語選択手段６６で選択されたタイトル語に対して、管理者の属性情報や興行情報に含まれる名称の一部を抽出して、タイトル語に付加してタイトル名を決定する。例えば、タイトル語選択手段６６でタイトル語に「観戦」が選択され、興行情報に「サッカー」が含まれる場合、「サッカー観戦」がタイトル名として決定される。尚、名称付加手段６８は、呼び出される処理の段階において、処理の詳細がそれぞれ異なるため、各処理における詳細は後述する。この名称付加手段６８で決定されたタイトル名は、データ関連付け手段７８に送られる。
【００４３】
データ関連付け手段７８は、名称付加手段６８から送られるタイトル名と、デジタル画像データ８６から抽出して取得された画像データ８２とを関連付ける。即ち、グループ化されないデジタル画像データ８６に対しては、個々の画像データ８２に対してタイトル名が決定されているため、それぞれの画像データ８２とタイトル名とが関連付けられるのに対して、グループ化されたデジタル画像データ８６に対しては、画像データ８２のグループとタイトル名とが関連付けられる。
【００４４】
上記したデータ関連付け手段７８で関連付けられた画像データ８２または画像データ８２のグループとタイトル名は、例えば記憶装置１６のようなデジタル画像データ記憶手段８０に記憶されると共に、画像表示装置３２のようなデジタル画像出力手段８１に出力される。尚、デジタル画像出力手段８１は、画像表示装置３２に限定されず、関連付けられた画像データ８２または画像データ８２のグループと、タイトル名とのデータを、メモリカード３４のような媒体や、ネットワーク等を介して外部のサーバに出力しても良い。
【００４５】
以上、デジタル画像データ８６のタイトル作成装置１の各機能部を説明したが、これらの機能は、前記したハードウェア資源と、ソフトウェアとが有機的に協働することで実現される。
【００４６】
図３は、デジタル画像データ８６のタイトル作成装置１におけるタイトル作成の処理の流れを示すフローチャート図であり、タイトル作成の処理の流れを、このフローチャートに従い説明する。
【００４７】
最初に、処理が開始されると、デジタル画像データ入力手段５０にデジタル画像データ８６が入力される（ステップＳ１００）。
【００４８】
次に、メタデータ取得手段５４により、デジタル画像データ８６の中から、メタデータ８４が抽出される（ステップＳ１０２）。
【００４９】
次に、撮影時刻／撮影場所データ変換手段５６により、メタデータ８４の中から、デジタル画像データ８６が撮影された日時と場所の情報が取得される（ステップＳ１０４）。
【００５０】
次に、入力されたデジタル画像データ８６が示す画像は、複数枚か、否か判定される（ステップＳ１０６）。ここで、入力されたデジタル画像データ８６が示す画像が、複数枚であった場合（ステップＳ１０６でＹｅｓ）、グループ化手段５８により、デジタル画像データ８６がグループ化され（ステップＳ１０８）、次の工程（ステップＳ１１０）へ進む。
【００５１】
また、入力されたデジタル画像データ８６が示す画像は、１枚であった場合（ステップＳ１０６でＮｏ）、管理者特定手段７０で特定された管理者の属性に関する情報が、管理者属性情報取得手段７４により取得される（ステップＳ１１０）。
【００５２】
次に、撮影された日時の情報と、管理者の属性の情報に含まれる日時の情報とが比較される（ステップＳ１１２）。
【００５３】
次に、管理者の属性の情報に含まれる日時の情報の中に、撮影された日時と略一致する情報が存在するか、否か判定される（ステップＳ１１４）。
【００５４】
ここで、管理者の属性の情報に含まれる日時の情報の中に、撮影された日時と略一致する情報が存在する場合（ステップＳ１１４でＹｅｓ）、タイトル語選択手段６６における第１の方法が実行される。即ち、タイトル分類手段６２により、予め選定され用意された行事の中から、略一致する属性データに応じた行事がタイトル語として選択される（ステップＳ１４０）。続いて、名称付加手段６８により、選択されたタイトル語に属性データの固有名称の一部が付加され、タイトル名として決定され（ステップＳ１４２）て、一連の処理が終了する。
【００５５】
他方で、管理者の属性の情報に含まれる日時の情報の中に、撮影された日時と略一致する情報が存在しない場合（ステップＳ１１４でＮｏ）、管理者スケジュール取得手段７２により、管理者の行動予定の情報が取得される（ステップＳ１１６）。
【００５６】
次に、デジタル画像データ８６が撮影された日時に関する情報と行動予定の情報とが照合され、デジタル画像データ８６が撮影された日時における管理者の個人イベント情報が取得される（ステップＳ１１８）。
【００５７】
更に、デジタル画像データ８６が撮影された場所に関する情報と、属性情報とから、管理者の移動情報を取得する（ステップＳ１２０）。
【００５８】
続いて、タイトル分類手段６２により、取得された管理者の個人イベント情報と移動情報とを参照して適切なタイトル語が選択される（ステップＳ１２２）。
【００５９】
続いて、興行情報取得手段７６により、デジタル画像データ８６が撮影された日時における興行情報が取得される（ステップＳ１２４）。
【００６０】
次に、デジタル画像データ８６が撮影された日時の情報および場所の情報と、取得された興行情報の日時の情報および場所の情報とが比較される（ステップＳ１２６）。
【００６１】
次に、興行情報の日時の情報および場所の情報の中に、デジタル画像データ８６が撮影された日時の情報および場所の情報と略一致する情報が存在するか、否か判定される（ステップＳ１２８）。
【００６２】
ここで、前記判定の結果、略一致する情報が存在する場合（ステップＳ１２８でＹｅｓ）、タイトル語選択手段６６における第２の方法が実行される。即ち、前記略一致する興行情報がタイトル語に選択され（ステップＳ１３６）、選択されたタイトル語に対して、興行情報に適する名称が付加され、タイトル名として決定され（ステップＳ１３８）た後、一連の処理が終了する。
【００６３】
他方で、前記判定の結果、略一致する情報が存在しない場合（ステップＳ１２８でＮｏ）、タイトル語選択手段６６における第３の方法が実行される。即ち、タイトル分類手段６２で選択されたタイトル語、デジタル画像データ８６が撮影された場所の上位概念の情報、またはデジタル画像データ８６が撮影された日時に関する情報の中の何れかが、タイトル語として選択される（ステップＳ１３０）。続いて、名称付加手段６８により、選択されたタイトル語に適切な語尾が付加され、タイトル名として決定され（ステップＳ１３２）た後、一連の処理が終了する。
【００６４】
以上、デジタル画像データ８６が入力された場合、このデジタル画像データ８６の画像データ８２に相応しいタイトル名が上記した各処理により決定される。
【００６５】
次に、図４〜図６は、デジタル画像データ８６からタイトルが決定されるまでのデータ例を示す図であり、それぞれのデータ例について、以下に説明する。
【００６６】
図４は、前記したタイトル語選択手段６６における第１の方法によりタイトルが選択される例を示す。即ち、写真１のデジタル画像データ８６Ａは、写真１の画像データ８２Ａと写真１のメタデータ８４Ａとで構成され、撮影時刻／撮影場所データ変換手段５６により、写真１のメタデータ８４Ａから、撮影された日時の情報と撮影された場所の情報とが所定のデータ形式で記述された写真１のデータ群８８Ａに変換される。タイトル語選択手段６６は、このデータ群８８Ａに含まれる日時に関する情報と略一致する情報を、管理者属性情報取得手段７４で取得された管理者の属性情報９０Ａの中から検索する。この結果、管理者の属性情報９０Ａに含まれる「結婚」の日程と一致する。ここで、タイトル語選択手段６６は、「式」という語句を選択すると共に、名称付加手段６８は、「式」の前段に、属性情報９０Ａに含まれる「結婚」を付加することで、「結婚式」という写真１のタイトル９８Ａが決定される。
【００６７】
図５は、前記したタイトル語選択手段６６における第２の方法および第３の方法によりタイトルが選択される例を示す。写真２のデジタル画像データ８６Ｂは、写真２の画像データ８２Ｂと写真２のメタデータ８４Ｂとで構成され、写真３のデジタル画像データ８６Ｃは、写真３の画像データ８２Ｃと写真３のメタデータ８４Ｃとで構成される。ここで、最初に第１の方法でタイトルの選択を試みる。即ち、撮影時刻／撮影場所データ変換手段５６により、写真２のメタデータ８４Ｂから、撮影された日時の情報と撮影された場所の情報とが所定のデータ形式のデータ群８８Ｂに変換されると共に、写真３のメタデータ８４Ｃから、撮影された日時の情報と撮影された場所の情報とが所定のデータ形式のデータ群８８Ｃに変換される。図４と同様に、タイトル語選択手段６６は、これらのデータ群（８８Ｂ，８８Ｃ）に含まれる日時に関する情報と略一致する情報を、管理者属性情報取得手段７４で取得された管理者の属性情報９０Ｂの中から検索する。この結果、何れのデータ群（８８Ｂ，８８Ｃ）とも略一致する情報が見つからないため、第２の方法が試みられる。
【００６８】
ここで、第２の方法が試みられる前に、タイトル分類手段６２により、管理者のスケジュール９２Ｂから、タイトル語が選択される。即ち、データ群（８８Ｂ，８８Ｃ）に含まれる日時に関する情報は、スケジュール９２Ｂの日程に含まれるため、分類として「旅行」が選択され、名称付加手段６８で前段に「東京」が付加されることにより、タイトル語として「東京旅行」（９６Ｂ，９６Ｃ）が選択される。
【００６９】
続いて、第２の方法が試みられる。即ち、データ群（８８Ｂ，８８Ｃ）に含まれる日時および場所に関する情報と略一致する興行情報が、興行情報取得手段７６で検索される。その結果、写真２のデータ群８８Ｂと略一致するＷＥＢ情報９４が検索され、タイトル語選択手段６６は、日時の情報から「初詣」という語句を選択すると共に、名称付加手段６８は、「初詣」の前段に、興行情報であるＷＥＢ情報９４に含まれる「〇〇神社」を付加することで、「〇〇神社初詣」という写真２のタイトル９８Ｂが決定される。
【００７０】
ここで、写真３のデータ群８８Ｃと略一致するＷＥＢ情報９４が検索されないため、第３の方法が試みられる。即ち、タイトル語選択手段６６は、タイトル分類手段６２で選択されたタイトル語、デジタル画像データ８６Ｃが撮影された場所の上位概念の情報、またはデジタル画像データ８６Ｃが撮影された日時に関する情報の中から、何れか適切な語句を選択する。この写真３では、タイトル分類手段６２で選択された「東京旅行」が選択されると共に、名称付加手段６８は、「東京旅行」の後段に、適する語句である「にて」を付加することで、「東京旅行にて」という写真３のタイトル９８Ｃが決定される。
【００７１】
図６は、デジタル画像データ８６がグループ化されて処理される例を示す。写真４のデジタル画像データ８６Ｄは、写真４の画像データ８２Ｄと写真４のメタデータ８４Ｄとで構成され、写真５のデジタル画像データ８６Ｅは、写真５の画像データ８２Ｅと写真５のメタデータ８４Ｅとで構成される。ここで、撮影時刻／撮影場所データ変換手段５６により、写真４のメタデータ８４Ｄから、撮影された日時の情報と撮影された場所の情報とが写真４のデータ群８８Ｄに変換されると共に、写真５のメタデータ８４Ｅから、撮影された日時の情報と撮影された場所の情報とが写真５のデータ群８８Ｅに変換される。
【００７２】
次に、グループ化手段５８は、データ群（８８Ｄ，８８Ｅ）の中の撮影日が一致すると共に、撮影場所が同じ京都市であることから、同一のグループであると判断する。この結果、グループのデータ８９が作成され、このデータ８９に含まれる日時に関する情報と略一致する情報を、管理者属性情報取得手段７４で取得された管理者の属性情報９０Ｃの中から検索する（第１の方法）。この結果、管理者の属性情報９０Ｃに含まれる「誕生日」の日程と一致する。ここで、タイトル語選択手段６６は、「祝い」という語句を選択すると共に、名称付加手段６８は、「祝い」の前段に「誕生日」を付加することで、「誕生日祝い」というグループのタイトル９８Ｄが決定される。尚、図６のような場合、本実施形態では、属性情報からタイトルを取得したが、このような方法には限定されず、管理者による選択により、「京都旅行」のように、スケジュール９２Ｃからタイトルを取得する方法を優先させても良く、また、「誕生日  京都旅行」のように、属性情報９０Ｃから取得されたタイトルとスケジュール９２Ｃから取得されたタイトルとを組合わせる方法を採用しても良い。
【００７３】
以上述べた実施形態によれば、以下のような効果を奏する。
（１）デジタル画像データ８６の管理者は、タイトル作成装置１にデジタル画像データ８６を入力することで、入力したデジタル画像データ８６に相応しいタイトル名が生成されるため、デジタル画像データ８６を容易に管理できることに加え、複数のデジタル画像データ８６の中から、所望するデータを容易に抽出できる。
【００７４】
以上、本発明を図示した実施形態に基づいて説明したが、本発明は、本実施形態に限定されるものではなく、以下に述べるような変形例も想定できる。
（１）本実施形態では、メタデータに応じて複数のデジタル画像データ８６をグループ化する工程（ステップＳ１０８）を、タイトル作成の処理の前段に配置したが、タイトル語を選択する第１の方法が実行される工程（ステップＳ１４０）と、タイトル語分類選択工程（ステップＳ１２２）の各前段に配置しても良い。
【図面の簡単な説明】
【００７５】
【図１】本発明の実施形態に係るデジタル画像データのタイトル作成装置のハードウェア構成を示す図。
【図２】本発明の実施形態に係るデジタル画像データのタイトル作成装置の機能構成を示す図。
【図３】本発明の実施形態に係るデジタル画像データのタイトル作成装置におけるタイトル作成の処理の流れを示すタイミング図。
【図４】タイトル語選択手段における第１の方法によりタイトルが選択される例を示す図。
【図５】タイトル語選択手段における第２の方法および第３の方法によりタイトルが選択される例を示す図。
【図６】デジタル画像データがグループ化されて処理される例を示す図。
【符号の説明】
【００７６】
１…タイトル作成装置、１０…ＣＰＵ、１２…ＲＡＭ、１４…ＲＯＭ、１６…記憶装置、１８…入力Ｉ／Ｆ、２０…通信Ｉ／Ｆ、２２…グラフィックスサブシステム、２３…バス、２４…メモリカードリーダ、２６…クレイドル、３０…ネットワークカード、３２…画像表示装置、３４…メモリカード、３６…デジタルカメラ、３８…インターネット、５０…デジタル画像データ入力手段、５２…画像データ取得手段、５４…メタデータ取得手段、５６…撮影時刻／撮影場所データ変換手段、５８…グループ化手段、６０…タイトル名決定手段、６２…タイトル分類手段、６４…データベース、６６…タイトル語選択手段、６８…名称付加手段、７０…管理者特定手段、７２…管理者スケジュール取得手段、７４…管理者属性情報取得手段、７６…興行情報取得手段、７８…データ関連付け手段、８０…デジタル画像データ記憶手段、８１…デジタル画像出力手段、８２…画像データ、８２Ａ…写真１の画像データ、８２Ｂ…写真２の画像データ、８２Ｃ…写真３の画像データ、８２Ｄ…写真４の画像データ、８２Ｅ…写真５の画像データ、８４…メタデータ、８４Ａ…写真１のメタデータ、８４Ｂ…写真２のメタデータ、８４Ｃ…写真３のメタデータ、８４Ｄ…写真４のメタデータ、８４Ｅ…写真５のメタデータ、８６…デジタル画像データ、８６Ａ…写真１のデジタル画像データ、８６Ｂ…写真２のデジタル画像データ、８６Ｃ…写真３のデジタル画像データ、８６Ｄ…写真４のデジタル画像データ、８６Ｅ…写真５のデジタル画像データ、８８Ａ…写真１のデータ群、８８Ｂ…写真２のデータ群、８８Ｃ…写真３のデータ群、８８Ｄ…写真４のデータ群、８８Ｅ…写真５のデータ群、８９…グループのデータ、９０Ａ，９０Ｂ，９０Ｃ…管理者の属性情報、９２Ｂ，９２Ｃ…スケジュール、９４…ＷＥＢ情報、９８Ａ…写真１のタイトル、９８Ｂ…写真２のタイトル、９８Ｃ…写真３のタイトル、９８Ｄ…グループのタイトル。
【図１】
2007207057.tif 000003
【図２】
2007207057.tif 000004
【図３】
2007207057.tif 000005
【図４】
2007207057.tif 000006
【図５】
2007207057.tif 000007
【図６】
2007207057.tif 000008